(57)【要約】【課題】  制御信号の長さを抑え、制御信号の受信の失敗を低減することが可能なリモートコントローラを提供するものである。【解決手段】  所定のフォーマット内に複数種類の送信データを組み合せて制御信号を送信するリモートコントローラ１において、第１の送信データを有する第１の制御信号Ｃ１と、第１の送信データと一部異なる第２のデータを有する第２の制御信号Ｃ２を第１の制御信号Ｃ１に続けて送信可能であり、第１の制御信号Ｃ１に続けて第２の制御信号Ｃ２を送信するか否かを判別する判別データ部Ｄ１を第１の制御信号Ｃ１に設けたものである。【選択図】  図３
2010087665.tif 000002
【特許請求の範囲】
【請求項１】
所定のフォーマット内に複数種類の送信データを組み合せて制御信号を送信するリモートコントローラにおいて、第１の送信データを有する第１の制御信号と、前記第１の送信データと一部異なる第２のデータを有する第２の制御信号を前記第１の制御信号に続けて送信可能であり、前記第１の制御信号に続けて前記第２の制御信号を送信するか否かを判別する判別データ部を前記第１の制御信号に設けたことを特徴とするリモートコントローラ。
【発明の詳細な説明】
【技術分野】
【０００１】
本発明は、所定のフォーマット内に、複数種類のデータを組み合わせて送信するリモートコントローラに関する。
【背景技術】
【０００２】
従来のリモートコントローラは、スイッチなどの操作部を操作することによって、制御信号を送信するものである。この制御信号は、一群のデータからなり、所定のフォーマットで構成されている。
【０００３】
この制御信号は、リーダ、カスタムコード、パリティ、データコードおよびトレーラからなるものである（下記、特許文献１参照）。
【特許文献１】特開平４−９０６３４号公報（特に、第６図）
【発明の開示】
【発明が解決しようとする課題】
【０００４】
近年、前記制御信号のデータ量に対して前記リモートコントローラで制御される機器の機能が増えたために、前記制御信号の長さを変更してデータ量を増加させて、前記機器の機能に対応することが考えられている。
【０００５】
しかし、前記制御信号を長くすると、前記機器が前記制御信号の受信に失敗する可能性が高まるという虞があった。
【０００６】
そこで、前記制御信号の長さを変えずに増加したデータ量に対応するために、任意の送信データを有する第１の制御信号のみと、前記第１の制御信号とは異なるデータを有する第２の制御信号のみ、および、前記第１の制御信号と前記第２の制御信号とを組み合わせて送信するリモートコントローラが考えられる。
【０００７】
しかし、前記第１の制御信号と前記第２の制御信号とを組み合わせて送信する場合に、前記機器側では、前記制御信号の受信に失敗して、前記第１の制御信号あるいは前記第２の制御信号のみを受信し、組み合わせて送信された他の前記第２の制御信号や前記第１の制御信号を受信せず、前記リモートコントローラを操作した操作者が望んだ制御とは異なる制御を前記機器が行う虞があった。
【０００８】
そこで、本発明は前述した問題点に着目し、制御信号の長さを抑え、制御信号の受信の失敗を低減することが可能なリモートコントローラを提供することを目的とする。
【課題を解決するための手段】
【０００９】
本発明は、所定のフォーマット内に複数種類の送信データを組み合せて制御信号を送信するリモートコントローラにおいて、第１の送信データを有する第１の制御信号と、前記第１の送信データと一部異なる第２のデータを有する第２の制御信号を前記第１の制御信号に続けて送信可能であり、前記第１の制御信号に続けて前記第２の制御信号を送信するか否かを判別する判別データ部を前記第１の制御信号に設けたものである。
【発明の効果】
【００１０】
本発明によれば、所期の目的を達成でき、制御信号の長さを抑え、制御信号の受信の失敗を低減することが可能なリモートコントローラを提供することができる。
【発明を実施するための最良の形態】
【００１１】
以下、本発明の第１実施形態を添付図面を用いて説明する。
【００１２】
本実施形態のリモートコントローラ（制御装置）１は、キー入力手段２と、制御手段３と、記憶部４と、送受信手段５と、表示手段６を有する。Ａは、リモートコントローラで制御される機器で、本実施形態では空気調和機であり、リモートコントローラ１からの制御信号によって制御されるものである。
【００１３】
キー入力手段２は、例えばプッシュスイッチやタッチパネルスイッチ等からなり、空気調和機Ａの制御に関する各種操作を行うものである。
【００１４】
制御手段３は、主にマイクロコンピュータによって構成されるものであり、所定のプログラムを実行するためのＣＰＵと、前記プログラムが記憶されたＲＯＭと、演算結果等を一時的に記憶するＲＡＭと、空気調和機Ａの運転を制御するために制御信号を出力するための駆動回路と、キー入力手段２からの制御信号を入力するためのインターフェイス部等を有している。
【００１５】
制御手段３は、キー入力手段２からの制御信号を受けて、キー入力手段２を操作したときにリモートコントローラ１の状態に応じて、複数種類の送信データを所定のフォーマット内に組み合わせて制御信号を生成する。また、制御手段３は、空気調和機Ａの運転状態を検出し、運転中の運転機能に応じた設定状態を表示手段６に表示させる。
【００１６】
記憶部４は、各種運転機能における設定可能範囲等の各種データを不揮発的に記録するものであり、例えばＥＥＰＲＯＭからなる。
【００１７】
送受信手段５は、赤外線発光ダイオード及び赤外線センサ等を備え、制御手段３の前記制御信号を赤外線送信信号により空気調和機Ａに送信する。また、空気調和機Ａからの赤外線送信信号を受信するものでもある。なお、送受信手段５の伝送路は、リモートコントローラ（制御装置）１と空気調和機Ａを通信線で接続した有線方式でもよい。
【００１８】
表示手段６は、表示素子として例えばドットマトリクス型などの液晶表示素子を備えるものであり、その表示内容を設定状況に応じて変更できるものが用いられる。
【００１９】
次に、リモートコントローラ（制御装置）１と空気調和機Ａの通信について説明する。  図２は、リモートコントローラ（制御装置）１が空気調和機Ａに第１の制御信号Ｃ１のみを送信する場合を示すものである。
【００２０】
第１の制御信号Ｃ１は、例えば、９６ビットなどの限られた所定のフォーマットであり、このフォーマット内に、空気調和機Ａを制御する様々なデータを格納している。この第１の制御信号Ｃ１に格納されるデータとしては、頻繁に使用されるデータが好ましい。
【００２１】
例えば、「設定温度上昇スイッチ」等であり、このスイッチを操作すると、リモートコントローラ１は、設定温度を摂氏１度上昇させるデータを有する第１の制御信号Ｃ１を生成し、２回出力する。２回出力される第１の制御信号Ｃ１の間隔は、１５ミリ秒である。なお、第１の制御信号Ｃ１を２回出力するのは、送受信の失敗を抑えるためであり、第１の制御信号Ｃ１の出力は、１回でもよい。
【００２２】
また、第１の制御信号Ｃ１には、第１の制御信号Ｃ１に続けて後述する第２の制御信号を送信するか否かを判別する判別データ部Ｄ１を備えており、今回は、この判別データ部Ｄ１には、前記第２の制御信号を送信しないというデータが格納されており、第１の制御信号Ｃ１に続けて後述する第２の制御信号は送信されない。
【００２３】
空気調和機Ａでは、第１の制御信号Ｃ１の判別データ部Ｄ１によって、第１の制御信号Ｃ１に続けて前記第２の制御信号が送信されないことを判定し、受信処理を正常に受信完了したものと判別できる。
【００２４】
図３は、リモートコントローラ（制御装置）１が空気調和機Ａに第１の制御信号Ｃ１と第２の制御信号Ｃ２を送信する場合を示すものである。
【００２５】
第２の制御信号Ｃ２は、第１の制御信号Ｃ１と同様に、９６ビットなどの限られた所定のフォーマットであり、このフォーマット内に、空気調和機Ａを制御するデータを格納している。この第２の制御信号Ｃ２に格納されるデータとしては、使用頻度の少ないデータが好ましい。
【００２６】
例えば、「風向設定スイッチ」等であり、このスイッチを操作すると、リモートコントローラ１は、風向を変更するデータを有する第２の制御信号Ｃ２を生成するとともに、キー入力手段２を操作したときのリモートコントローラ１の状況に基づいて第１の制御信号Ｃ１を生成し、第１の制御信号Ｃ１を２回出力し、所定時間、例えば、１２５ミリ秒後に、第２の制御信号Ｃ２を２回出力する。なお、第１、第２の制御信号Ｃ１、Ｃ２の出力回数は、１回でもよい。
【００２７】
この時に出力される第１の制御信号Ｃ１の判別データ部Ｄ１には、第２の制御信号Ｃ２を送信するというデータが格納されている。
【００２８】
以上から、リモートコントローラ１からの全ての送信は、第１の制御信号Ｃ１を含んでいる。そして、第１の制御信号Ｃ１は、判別データ部Ｄ１を備えている。
【００２９】
第１の制御信号Ｃ１のみを送信する場合は、後続する第２の制御信号Ｃ２の送信はないことを示すデータを判別データ部Ｄ１に格納している。
【００３０】
第２の制御信号Ｃ２は、リモートコントローラ１からの全ての送信に含まれることはない。第２の制御信号Ｃ２を送信する場合は、後続する第２の制御信号Ｃ２の送信があることを示すデータを第１の制御信号Ｃ１の判別データ部Ｄ１に格納している。
【００３１】
空気調和機Ａでは、第２の制御信号Ｃ２の送信があるというデータを受信することで、第１の制御信号Ｃ１に続き第２の制御信号Ｃ２まで受信したら、受信処理を正常に受信完了したものと判別できる。
【００３２】
仮に、空気調和機Ａにて、第２の制御信号があるというデータを含む第１の制御信号Ｃ１を受信したにもかかわらず、第２の制御信号Ｃ２を受信できない場合には、第２の制御信号が欠損したと判定できる。
【００３３】
また、空気調和機Ａにて、第１の制御信号Ｃ１の受信がない状態で、第２の制御信号Ｃ２から受信した場合には、第１の制御信号Ｃ１が欠損したと判定できる。
【００３４】
なお、本実施形態においては、空気調和機の制御装置は、空気調和機Ａと別体に設けられるリモートコントローラ１であったが、本発明の制御装置は、空気調和機と一体的に設けられる操作パネルであってもよい。
【００３５】
以上のように構成したことによって、制御信号のフォーマットの長さを変更することなく、増加したデータ量に対しては、異なるデータを格納した制御信号を送信することで対応することができる。
【００３６】
そして、制御信号の長さを抑え、制御信号の受信の失敗を低減するとともに、消費電力の増加を抑えることが可能なリモートコントローラを提供することができる。
【図面の簡単な説明】
【００３７】
【図１】本発明の実施形態のリモートコントローラと空気調和機の電気的構成を示すブロック図。
【図２】第１の制御信号を示す図。
【図３】第１と第２の制御信号を示す図。
【符号の説明】
【００３８】
Ａ    空気調和機（機器）
Ｃ１  第１の制御信号
Ｃ２  第２の制御信号
Ｄ１  判別データ部
１    リモートコントローラ
２    キー入力手段
３    制御手段
４    記憶部
５    送受信手段
６    表示手段
【図１】
2010087665.tif 000003
【図２】
2010087665.tif 000004
【図３】
2010087665.tif 000005